(57)【要約】【課題】ユーザがフォルダ階層情報を参照することにより、フォルダを更新することを容易にする技術を提供することを目的とする。【解決手段】フォルダ格納装置１は、フォルダ追加部１３、通常階層情報作成部１４、簡易階層情報作成部１５を備える。フォルダ追加部１３は、フォルダ追加要求をユーザから受け付ける。通常階層情報作成部１４は、各フォルダが関係するパスおよび各フォルダの階層位置を示す、通常階層情報を作成する。簡易階層情報作成部１５は、各フォルダが関係するパスを示さずに、各フォルダの階層位置を示す、簡易階層情報を作成する。ユーザは、通常階層情報を参照することなく、簡易階層情報を参照することにより、いずれのフォルダの下位において、フォルダを更新するかを決定する。これにより、ユーザは、フォルダの追加を容易に行なえる。【選択図】図１
2009163653.tif 000002
【特許請求の範囲】
【請求項１】
階層構造を有するフォルダを格納するフォルダ格納部と、
前記フォルダ格納部に格納されるフォルダに基づいて、各フォルダが関係するパスおよび各フォルダの階層位置を示す第１フォルダ階層情報を作成する第１フォルダ階層情報作成部と、
前記第１フォルダ階層情報に基づいて、各フォルダの階層位置を示す第２フォルダ階層情報を作成する第２フォルダ階層情報作成部と、
前記第２フォルダ階層情報を表示する表示部と、
前記第２フォルダ階層情報の所定階層位置における更新指示を受け付けたことに応答して、前記第１フォルダ階層情報に基づいて前記フォルダ格納部に格納されるフォルダの更新内容を特定して、前記フォルダ格納部に格納されるフォルダの更新を実行するフォルダ更新部と、
を備えることを特徴とするフォルダ格納装置。
【請求項２】
請求項１に記載のフォルダ格納装置において、
前記表示部は、
各フォルダを階層位置ごとに区分して表示する区分表示部と、
前記更新指示を階層位置ごとに受け付ける更新指示受付部と、
を含むことを特徴とするフォルダ格納装置。
【請求項３】
請求項１または請求項２に記載のフォルダ格納装置において、
前記所定階層位置は、
前記第２フォルダ階層情報における最上位階層位置より下位である下位階層位置、
を含み、
前記更新指示は、
前記下位階層位置より上位である階層位置に格納される所定フォルダが関係するパスにおける下位階層更新指示、
を含むことを特徴とするフォルダ格納装置。
【請求項４】
請求項３に記載のフォルダ格納装置において、
前記表示部は、
前記所定フォルダを強調して表示する強調表示部、
を含むことを特徴とするフォルダ格納装置。
【請求項５】
請求項１または請求項２に記載のフォルダ格納装置において、
前記所定階層位置は、
前記第２フォルダ階層情報における最上位階層位置、
を含み、
前記更新指示は、
前記最上位階層における最上位階層更新指示、
を含むことを特徴とするフォルダ格納装置。
【発明の詳細な説明】
【技術分野】
【０００１】
本発明は、フォルダを格納するフォルダ格納装置において、ユーザがフォルダを更新することを容易にする技術に関する。
【背景技術】
【０００２】
フォルダ格納装置は、フォルダを格納して、フォルダ階層情報をユーザに表示する。フォルダ階層情報は、各フォルダが関係するパスおよび各フォルダの階層位置を示す情報である。ユーザは、フォルダ階層情報を参照することにより、フォルダ階層構造のうちいずれの場所において、フォルダを更新するかを決定する。
【０００３】
特許文献１に開示されたフォルダ格納装置は、フォルダをグループにまとめて、グループ名をグループに付与する。これにより、ユーザは、フォルダ階層構造のうちいずれの場所において、フォルダを更新するかを決定できる。
【０００４】
特許文献２に開示されたフォルダ格納装置は、下位フォルダのサムネイルを上位フォルダのアイコンに表示する。これにより、ユーザは、フォルダ階層構造のうちいずれの場所において、フォルダを更新するかを決定できる。
【０００５】
【特許文献１】特開２００７−１５６６８０号公報
【特許文献２】特開２００５−４４１９号公報
【発明の開示】
【発明が解決しようとする課題】
【０００６】
特許文献１および特許文献２に開示されたフォルダ格納装置は、フォルダ階層情報をユーザに表示する。以下の説明においては、ユーザは、図２に示したフォルダ階層情報を参照することにより、フォルダ２１、２２、３１、３２の下位階層に、「製品Ｔ」のフォルダをそれぞれ追加する更新を行なう。
【０００７】
フォルダ格納装置は、上位フォルダから下位フォルダまでの順序で、各フォルダ階層について、フォルダ階層情報をユーザに表示することがある。ユーザは、１つのフォルダが関係するパスを、上位階層から下位階層までの順序でトレースすることを、フォルダ２１、２２、３１、３２について、それぞれ繰り返す必要がある。
【０００８】
フォルダ格納装置は、全フォルダ階層について、フォルダ階層情報をユーザに表示することがある。ユーザは、１つのフォルダが関係するパスを、上位階層から下位階層までの順序でトレースすることを、フォルダ２１、２２、３１、３２について、それぞれ繰り返す必要はない。しかし、ユーザは、フォルダ階層情報を一目見るのみでは、フォルダ２１、２２、３１、３２が関係するパスを、容易に把握できない。
【０００９】
フォルダ格納装置が少数のフォルダを格納するときには、上述の問題は顕著に現われない。しかし、フォルダ格納装置が多数のフォルダを格納するときには、上述の問題は顕著に現われる。
【００１０】
そこで、本発明は前記問題点に鑑み、フォルダを格納するフォルダ格納装置において、ユーザがフォルダ階層情報を参照することにより、フォルダを更新することを容易にする技術を提供することを目的とする。
【課題を解決するための手段】
【００１１】
上記課題を解決するため、請求項１記載の発明は、フォルダ格納装置であって、階層構造を有するフォルダを格納するフォルダ格納部と、前記フォルダ格納部に格納されるフォルダに基づいて、各フォルダが関係するパスおよび各フォルダの階層位置を示す第１フォルダ階層情報を作成する第１フォルダ階層情報作成部と、前記第１フォルダ階層情報に基づいて、各フォルダの階層位置を示す第２フォルダ階層情報を作成する第２フォルダ階層情報作成部と、前記第２フォルダ階層情報を表示する表示部と、前記第２フォルダ階層情報の所定階層位置における更新指示を受け付けたことに応答して、前記第１フォルダ階層情報に基づいて前記フォルダ格納部に格納されるフォルダの更新内容を特定して、前記フォルダ格納部に格納されるフォルダの更新を実行するフォルダ更新部と、を備えることを特徴とする。
【００１２】
請求項２記載の発明は、請求項１に記載のフォルダ格納装置において、前記表示部は、各フォルダを階層位置ごとに区分して表示する区分表示部と、前記更新指示を階層位置ごとに受け付ける更新指示受付部と、を含むことを特徴とする。
【００１３】
請求項３記載の発明は、請求項１または請求項２に記載のフォルダ格納装置において、前記所定階層位置は、前記第２フォルダ階層情報における最上位階層位置より下位である下位階層位置、を含み、前記更新指示は、前記下位階層位置より上位である階層位置に格納される所定フォルダが関係するパスにおける下位階層更新指示、を含むことを特徴とする。
【００１４】
請求項４記載の発明は、請求項３に記載のフォルダ格納装置において、前記表示部は、前記所定フォルダを強調して表示する強調表示部、を含むことを特徴とする。
【００１５】
請求項５記載の発明は、請求項１または請求項２に記載のフォルダ格納装置において、前記所定階層位置は、前記第２フォルダ階層情報における最上位階層位置、を含み、前記更新指示は、前記最上位階層における最上位階層更新指示、を含むことを特徴とする。
【発明の効果】
【００１６】
本発明に係るフォルダ階層装置は、第１フォルダ階層情報および第２フォルダ階層情報を作成して、第２フォルダ階層情報をユーザに表示する。第１フォルダ階層情報は、各フォルダが関係するパスおよび各フォルダの階層位置を示す、通常のフォルダ階層情報である。第２フォルダ階層情報は、各フォルダが関係するパスを示さずに、各フォルダの階層位置を示す、簡易なフォルダ階層情報である。
【００１７】
ユーザは、第２フォルダ階層情報を参照することにより、所定階層位置における更新指示を行なう。ユーザは、最上位でない階層位置において更新指示を行なうときには、いずれのフォルダの下位において、フォルダを更新するかを決定できる。ユーザは、最上位である階層位置において更新指示を行なうときには、最上位の他のフォルダとは独立して、フォルダを更新することを決定できる。
【００１８】
ユーザは、通常の第１フォルダ階層情報を参照することなく、簡易な第２フォルダ階層情報を参照することにより、所定階層位置における更新指示を容易に行なえる。
【発明を実施するための最良の形態】
【００１９】
｛フォルダ格納装置の全体構成｝
以下、図面を参照しつつ、本発明の実施の形態について説明する。図１は、フォルダ格納装置１の全体構成を示すブロック図である。本発明においては、フォルダ格納装置１は、デジタル複合機である。しかし、フォルダ格納装置１は、フォルダ格納機能を備えるパーソナルコンピュータ、ファイルサーバなどであってもよい。
【００２０】
フォルダ格納装置１は、フォルダ格納部１１、操作画面表示部１２、フォルダ追加部１３、通常階層情報作成部１４、簡易階層情報作成部１５、などから構成される。
【００２１】
フォルダ格納部１１は、メモリ、ハードディスクなどの記憶装置であり、フォルダを格納するとともに、データをフォルダに格納する。
【００２２】
操作画面表示部１２は、タッチパネル式ディスプレイなどの表示装置であり、各種の情報を表示するとともに、フォルダ追加要求などをユーザから受け付ける。
【００２３】
フォルダ追加部１３は、フォルダ追加要求を操作画面表示部１２から受け付けて、フォルダをフォルダ格納部１１に追加する。
【００２４】
通常階層情報作成部１４は、フォルダ格納部１１により格納されるフォルダに基づいて、通常階層情報を作成する。通常階層情報は、図２、図６、図８、図１０に示した通常のフォルダ階層情報である。図２に示した通常階層情報は、フォルダが追加される前における通常階層情報である。図６、図８、図１０に示した通常階層情報は、フォルダが追加された後における通常階層情報である。
【００２５】
通常階層情報には、各フォルダが関係するパスおよび各フォルダの階層位置を示す情報が含まれている。しかし、通常階層情報は、操作画面表示部１２に表示されない。以下の説明では、図２に示した通常階層情報について、具体的に説明する。
【００２６】
最上位の第１階層には、「日本」のフォルダ２、「米国」のフォルダ３が格納されている。中位の第２階層には、「メーカＡ」のフォルダ２１、３１、「メーカＢ」のフォルダ２２、「メーカＣ」のフォルダ３２が格納されている。最下位の第３階層には、「製品Ｐ」のフォルダ２１１、２２１、３１１、「製品Ｑ」のフォルダ２２２、３１２、「製品Ｒ」のフォルダ３２１、「製品Ｓ」のフォルダ３２２が格納されている。
【００２７】
通常階層情報には、各フォルダがフォルダ階層構造の中でいずれの階層位置に存在するかを示す情報が含まれている。例えば、「日本」のフォルダ２は、第１階層に位置して、「メーカＡ」のフォルダ２１は、第２階層に位置することが記載される。
【００２８】
また、通常階層情報には、各フォルダが関係するパスを示す情報として、各フォルダがその下位階層のいずれのフォルダを格納しているか、または、各フォルダがその上位階層のいずれのフォルダに格納されているか、を示す情報が含まれている。例えば、第１階層に位置する「日本」のフォルダ２は、第２階層に位置する「メーカＡ」のフォルダ２１を格納することが記載される。
【００２９】
また、同一の名称を有するフォルダが複数存在する場合には、それら複数のフォルダそれぞれについての情報が、通常階層情報に記載される。例えば、「メーカＡ」のフォルダとしては、第２階層に位置する２個のフォルダ２１、３１の情報が、それぞれ別に通常階層情報に記載される。
【００３０】
簡易階層情報作成部１５は、通常階層情報作成部１４により作成される通常階層情報に基づいて、簡易階層情報を作成する。簡易階層情報は、図３、図４、図５、図７、図９に示した簡易なフォルダ階層情報である。図３、図５、図７、図９に示した簡易階層情報は、フォルダが追加される前における簡易階層情報である。図４に示した簡易階層情報は、フォルダが追加された後における簡易階層情報である。
【００３１】
簡易階層情報には、各フォルダの階層位置を示す情報が含まれている。しかし、簡易階層情報には、各フォルダが関係するパスを示す情報が含まれていない。そして、簡易階層情報は、操作画面表示部１２に表示される。以下の説明では、図３に示した簡易階層情報について、具体的に説明する。
【００３２】
操作画面表示部１２の左端には、「日本」のフォルダが選択ボタン４１として、「米国」のフォルダが選択ボタン４２として表示される。操作画面表示部１２の中央には、「メーカＡ」のフォルダが選択ボタン５１として、「メーカＢ」のフォルダが選択ボタン５２として、「メーカＣ」のフォルダが選択ボタン５３として表示される。操作画面表示部１２の右端には、「製品Ｐ」のフォルダが選択ボタン６１として、「製品Ｑ」のフォルダが選択ボタン６２として、「製品Ｒ」のフォルダが選択ボタン６３として、「製品Ｓ」のフォルダが選択ボタン６４として表示される。
【００３３】
簡易階層情報には、各フォルダがフォルダ階層構造の中でいずれの階層位置に存在するかを示す情報が含まれている。例えば、「日本」のフォルダ２は、操作画面表示部１２の左端に、選択ボタン４１として表示される。また、「メーカＡ」のフォルダ２１は、操作画面表示部１２の中央に、選択ボタン５１として表示される。
【００３４】
しかし、簡易階層情報には、各フォルダが関係するパスを示す情報として、各フォルダがその下位階層のいずれのフォルダを格納しているか、または、各フォルダがその上位階層のいずれのフォルダに格納されているか、を示す情報が含まれていない。例えば、第１階層に位置する「日本」のフォルダ２は、第２階層に位置する「メーカＡ」のフォルダ２１を格納することが明確に記載されない。
【００３５】
また、同一の名称を有するフォルダが複数存在する場合であっても、それら複数のフォルダそれぞれについての情報が、簡易階層情報に記載されない。例えば、「メーカＡ」のフォルダとしては、第２階層に位置する２個のフォルダ２１、３１の情報が、１個の選択ボタン５１として表示される。
【００３６】
ユーザは、通常階層情報を参照することなく、簡易階層情報を参照することにより、フォルダを追加する場所を決定する。フォルダ追加部１３は、通常階層情報を参照することにより、フォルダを追加する処理を実行する。これにより、ユーザは、フォルダ追加要求を容易に行なえる。
【００３７】
｛フォルダを追加する方法｝
次に、ユーザがフォルダを追加する方法について説明する。第１の場合として、第３階層にフォルダを追加する場合について説明する。第２の場合として、第２階層にフォルダを追加する場合について説明する。第３の場合として、第１階層にフォルダを追加する場合について説明する。
【００３８】
［第３階層にフォルダを追加する場合］
図５、図７、図９は、第３階層にフォルダを追加する場合における操作画面を示す図である。図５、図７、図９において、「製品Ｔ」のフォルダが第３階層に追加されることは共通するが、「製品Ｔ」のフォルダが第３階層のいずれの場所に追加されるかは異なる。
【００３９】
図３に示した操作画面は、フォルダが追加される前における操作画面である。図４に示した操作画面は、フォルダが追加された後における操作画面である。図４に示した操作画面は、図３に示した操作画面と比較して、「製品Ｔ」の選択ボタン６５をさらに含む。図５、図７、図９に示した場合において、フォルダが追加された後における操作画面は、すべて図４に示した操作画面である。
【００４０】
図５においては、ユーザは、第１階層および第２階層に格納されるすべてのフォルダが関係するパスにおいて、「製品Ｔ」のフォルダを追加する。
【００４１】
図５に示した操作画面において、ユーザは、第３階層の追加ボタン７３を選択する。これにより、斜線で示したように、追加ボタン７３が強調して表示される。しかし、ユーザは、第１階層の選択ボタン４１、４２、第２階層の選択ボタン５１、５２、５３のうち、いずれの選択ボタンをも選択しない。
【００４２】
フォルダ追加部１３は、操作画面表示部１２から、追加ボタン７３が選択された旨を通知される。フォルダ追加部１３は、第１階層のフォルダおよび第２階層のフォルダが関係するパスにおいて、「製品Ｔ」のフォルダを追加すべきであると判断する。
【００４３】
フォルダ追加部１３は、通常階層情報に基づいて、「製品Ｔ」のフォルダを追加すべき場所を判断する。フォルダ追加部１３は、図６の斜線で示したように、以下に示す場所において、以下に示す「製品Ｔ」のフォルダを追加する：（１）「日本」のフォルダ２および「メーカＡ」のフォルダ２１の下位階層において追加されるフォルダ２１２、（２）「日本」のフォルダ２および「メーカＢ」のフォルダ２２の下位階層において追加されるフォルダ２２３、（３）「米国」のフォルダ３および「メーカＡ」のフォルダ３１の下位階層において追加されるフォルダ３１３、（４）「米国」のフォルダ３および「メーカＣ」のフォルダ３２の下位階層において追加されるフォルダ３２３。
【００４４】
図７においては、ユーザは、第２階層に格納される「メーカＡ」のフォルダが関係するパスにおいて、「製品Ｔ」のフォルダを追加する。
【００４５】
図７に示した操作画面において、ユーザは、「メーカＡ」の選択ボタン５１を選択する。そして、ユーザは、第３階層の追加ボタン７３を選択する。これにより、斜線で示したように、選択ボタン５１および追加ボタン７３が強調して表示される。
【００４６】
フォルダ追加部１３は、操作画面表示部１２から、選択ボタン５１および追加ボタン７３が選択された旨を通知される。フォルダ追加部１３は、第２階層の「メーカＡ」のフォルダが関係するパスにおいて、「製品Ｔ」のフォルダを追加すべきであると判断する。
【００４７】
フォルダ追加部１３は、通常階層情報に基づいて、「製品Ｔ」のフォルダを追加すべき場所を判断する。フォルダ追加部１３は、図８の斜線で示したように、以下に示す場所において、以下に示す「製品Ｔ」のフォルダを追加する：（１）「日本」のフォルダ２および「メーカＡ」のフォルダ２１の下位階層において追加されるフォルダ２１２、（２）「米国」のフォルダ３および「メーカＡ」のフォルダ３１の下位階層において追加されるフォルダ３１３。
【００４８】
ユーザは、「メーカＢ」の選択ボタン５２を選択してもよい。フォルダ追加部１３は、「日本」のフォルダ２および「メーカＢ」のフォルダ２２の下位階層において、「製品Ｔ」のフォルダを追加する。
【００４９】
ユーザは、「メーカＣ」の選択ボタン５３を選択してもよい。フォルダ追加部１３は、「米国」のフォルダ３および「メーカＣ」のフォルダ３２の下位階層において、「製品Ｔ」のフォルダを追加する。
【００５０】
ユーザは、選択ボタン５１、５２、５３のうち、複数個の選択ボタンを選択してもよい。もっとも、ユーザは、すべての選択ボタンを選択するときには、いずれの選択ボタンをも選択しないときと同様な効果を得られる。
【００５１】
図９においては、ユーザは、第１階層に格納される「日本」のフォルダが関係するパスにおいて、「製品Ｔ」のフォルダを追加する。
【００５２】
図９に示した操作画面において、ユーザは、「日本」の選択ボタン４１を選択する。そして、ユーザは、第３階層の追加ボタン７３を選択する。これにより、斜線で示したように、選択ボタン４１および追加ボタン７３が強調して表示される。
【００５３】
フォルダ追加部１３は、操作画面表示部１２から、選択ボタン４１および追加ボタン７３が選択された旨を通知される。フォルダ追加部１３は、第１階層の「日本」のフォルダが関係するパスにおいて、「製品Ｔ」のフォルダを追加すべきであると判断する。
【００５４】
フォルダ追加部１３は、通常階層情報に基づいて、「製品Ｔ」のフォルダを追加すべき場所を判断する。フォルダ追加部１３は、図１０の斜線で示したように、以下に示す場所において、以下に示す「製品Ｔ」のフォルダを追加する：（１）「日本」のフォルダ２および「メーカＡ」のフォルダ２１の下位階層において追加されるフォルダ２１２、（２）「日本」のフォルダ２および「メーカＢ」のフォルダ２２の下位階層において追加されるフォルダ２２３。
【００５５】
ユーザは、「米国」の選択ボタン４２を選択してもよい。フォルダ追加部１３は、以下に示す場所において、「製品Ｔ」のフォルダを追加する：（１）「米国」のフォルダ３および「メーカＡ」のフォルダ３１の下位階層、（２）「米国」のフォルダ３および「メーカＣ」のフォルダ３２の下位階層。
【００５６】
ユーザは、選択ボタン４１、４２のうち、両方の選択ボタンを選択してもよい。もっとも、ユーザは、両方の選択ボタンを選択するときには、いずれの選択ボタンをも選択しないときと同様な効果を得られる。
【００５７】
図５においては、ユーザは、第１階層の選択ボタン４１、４２、第２階層の選択ボタン５１、５２、５３のうち、いずれの選択ボタンをも選択していない。図７においては、ユーザは、第２階層の選択ボタン５１、５２、５３のうち、いずれかの選択ボタンを選択している。図９においては、ユーザは、第１階層の選択ボタン４１、４２のうち、いずれかの選択ボタンを選択している。
【００５８】
ここで、ユーザは、第１階層の選択ボタン４１、４２のうち、いずれかの選択ボタンを選択したうえに、第２階層の選択ボタン５１、５２、５３のうち、いずれかの選択ボタンを選択してもよい。
【００５９】
第１の具体例として、ユーザは、「日本」の選択ボタン４１および「メーカＡ」の選択ボタン５１を選択する。フォルダ追加部１３は、「日本」のフォルダ２および「メーカＡ」のフォルダ２１の下位階層において、「製品Ｔ」のフォルダを追加する。
【００６０】
第２の具体例として、ユーザは、「日本」の選択ボタン４１および「メーカＣ」の選択ボタン５３を選択する。フォルダ追加部１３は、「日本」のフォルダ２および「メーカＣ」のフォルダ３２が、同一のパスにないことを確認する。フォルダ追加部１３は、「製品Ｔ」のフォルダを追加できない旨を、操作画面表示部１２に表示させる。
【００６１】
［第２階層にフォルダを追加する場合］
次に、第２階層にフォルダを追加する場合について説明する。図３に示した操作画面において、ユーザは、第１階層の選択ボタン４１、４２のうち、いずれの選択ボタンをも選択しない、または、いずれかの選択ボタンを選択する。そして、ユーザは、第２階層の追加ボタン７２を選択する。
【００６２】
ユーザがいずれの選択ボタンをも選択しないときについて考える。フォルダ追加部１３は、第１階層のフォルダが関係するパスにおいて、フォルダを追加すべきであると判断する。フォルダ追加部１３は、通常階層情報に基づいて、以下に示す場所において、フォルダを追加する：（１）「日本」のフォルダ２の下位階層、（２）「米国」のフォルダ３の下位階層。
【００６３】
ユーザが「日本」の選択ボタン４１を選択するときについて考える。フォルダ追加部１３は、第１階層の「日本」のフォルダが関係するパスにおいて、フォルダを追加すべきであると判断する。フォルダ追加部１３は、通常階層情報に基づいて、「日本」のフォルダ２の下位階層において、フォルダを追加する。
【００６４】
ユーザが「米国」の選択ボタン４２を選択するときについて考える。フォルダ追加部１３は、第１階層の「米国」のフォルダが関係するパスにおいて、フォルダを追加すべきであると判断する。フォルダ追加部１３は、通常階層情報に基づいて、「米国」のフォルダ３の下位階層において、フォルダを追加する。
【００６５】
ユーザが両方の選択ボタンを選択するときには、ユーザがいずれの選択ボタンをも選択しないときと同様な効果が得られる。
【００６６】
［第１階層にフォルダを追加する場合］
次に、第１階層にフォルダを追加する場合について説明する。図３に示した操作画面において、ユーザは、第１階層の追加ボタン７１を選択する。
【００６７】
フォルダ追加部１３は、第１階層の他のフォルダとは独立して、フォルダを追加すべきであると判断する。フォルダ追加部１３は、通常階層情報に基づいて、「日本」のフォルダ２および「米国」のフォルダ３とは独立して、フォルダを追加する。
【００６８】
｛フォルダを削除する方法｝
以上の説明においては、フォルダ格納装置１は、フォルダを所定階層位置に追加する。ここで、フォルダ格納装置１は、フォルダを所定階層位置から削除してもよい。フォルダ格納装置１は、フォルダ追加部１３に加えて、フォルダ削除部を備えればよい。操作画面表示部１２は、追加ボタン７１、７２、７３に加えて、削除ボタンを備えればよい。
【００６９】
以下の説明においては、通常階層情報が図２に示した通常階層情報であり、簡易階層情報が図３に示した簡易階層情報であるときに、フォルダを所定階層位置から削除する方法について説明する。
【００７０】
第１の具体例として、ユーザが第３階層の「製品Ｐ」のフォルダを削除する場合について考える。ユーザは、「製品Ｐ」の選択ボタン６１および第３階層の削除ボタンを選択する。ユーザは、第１階層の選択ボタン４１、４２、第２階層の選択ボタン５１、５２、５３のうち、いずれかの選択ボタンを選択する、または、いずれの選択ボタンをも選択しない。これにより、ユーザは、複数個存在する「製品Ｐ」のフォルダのうち、いずれのフォルダを削除するかを決定できる。
【００７１】
ユーザは、いずれの選択ボタンをも選択しないときには、複数個存在する「製品Ｐ」のフォルダのうち、すべてのフォルダ２１１、２２１、３１１を削除できる。ユーザは、「メーカＡ」の選択ボタン５１を選択するときには、複数個存在する「製品Ｐ」のフォルダのうち、フォルダ２１１、３１１を削除できる。ユーザは、「日本」の選択ボタン４１を選択するときには、複数個存在する「製品Ｐ」のフォルダのうち、フォルダ２１１、２２１を削除できる。
【００７２】
第２の具体例として、ユーザが第２階層の「メーカＡ」のフォルダを削除する場合について考える。ユーザは、「メーカＡ」の選択ボタン５１および第２階層の削除ボタンを選択する。ユーザは、第１階層の選択ボタン４１、４２のうち、いずれかの選択ボタンを選択する、または、いずれの選択ボタンをも選択しない。これにより、ユーザは、複数個存在する「メーカＡ」のフォルダのうち、いずれのフォルダを削除するかを決定できる。
【００７３】
ユーザは、いずれの選択ボタンをも選択しないときには、複数個存在する「メーカＡ」のフォルダのうち、すべてのフォルダ２１、３１を削除できる。ユーザは、「日本」の選択ボタン４１を選択するときには、複数個存在する「メーカＡ」のフォルダのうち、フォルダ２１を削除できる。
【００７４】
第３の具体例として、ユーザが第１階層の「日本」のフォルダを削除する場合について考える。ユーザは、「日本」の選択ボタン４１および第１階層の削除ボタンを選択する。ユーザは、「日本」のフォルダ２を削除できる。
【００７５】
｛本発明のまとめ｝
ユーザが参照する階層情報は、図２に示した通常階層情報ではなく、図３に示した簡易階層情報である。通常階層情報は、各フォルダの階層位置を示して、各フォルダが関係するパスを示す、通常の階層情報である。簡易階層情報は、各フォルダの階層位置を示すが、各フォルダが関係するパスを示さない、簡易な階層情報である。
【００７６】
ユーザは、最上位でない階層位置において更新指示を行なうときには、その階層位置に対する上位階層位置について、選択ボタンの選択／非選択を行なう。ユーザは、いずれのフォルダの下位において、フォルダを更新するかを決定できる。
【００７７】
ユーザは、最上位である階層位置において更新指示を行なうときには、その階層位置に対する上位階層位置について、選択ボタンの選択／非選択を行なうまでもない。ユーザは、最上位の他のフォルダとは独立して、フォルダを更新することを決定できる。
【００７８】
ユーザは、通常階層情報を参照することなく、簡易階層情報を参照することにより、いずれの階層位置においても、フォルダの追加／削除という更新指示を容易に行なえる。
【図面の簡単な説明】
【００７９】
【図１】フォルダ格納装置の全体構成を示すブロック図である。
【図２】フォルダが追加される前におけるフォルダ構成を示す図である。
【図３】フォルダが追加される前における操作画面を示す図である。
【図４】フォルダが追加された後における操作画面を示す図である。
【図５】選択ボタンが選択されていないときにおける操作画面を示す図である。
【図６】選択ボタンが選択されていないときに、フォルダが追加された後におけるフォルダ構成を示す図である。
【図７】選択ボタン「メーカＡ」が選択されたときにおける操作画面を示す図である。
【図８】選択ボタン「メーカＡ」が選択されたときに、フォルダが追加された後におけるフォルダ構成を示す図である。
【図９】選択ボタン「日本」が選択されたときにおける操作画面を示す図である。
【図１０】選択ボタン「日本」が選択されたときに、フォルダが追加された後におけるフォルダ構成を示す図である。
【符号の説明】
【００８０】
１  フォルダ格納装置
１１  フォルダ格納部
１２  操作画面表示部
１３  フォルダ追加部
１４  通常階層情報作成部
１５  簡易階層情報作成部
【図１】
2009163653.tif 000003
【図２】
2009163653.tif 000004
【図３】
2009163653.tif 000005
【図４】
2009163653.tif 000006
【図５】
2009163653.tif 000007
【図６】
2009163653.tif 000008
【図７】
2009163653.tif 000009
【図８】
2009163653.tif 000010
【図９】
2009163653.tif 000011
【図１０】
2009163653.tif 000012